(57)【要約】【課題】視標のサイズに関係なく被検眼の視機能の高精度な自覚検査を行うことができる視標呈示装置及びその視標表示制御方法を提供する。【解決手段】視標を被検眼に呈示する視標呈示装置において、視標を表示する表示面を有するディスプレイと、同一サイズの視標を、視標のサイズごとに予め定められた表示面内での最大表示数の範囲内で表示面に表示させる表示制御部と、を備え、表示制御部が、被検眼に対する同一サイズの視標の予め定められた呈示数が最大表示数よりも大きくなる場合に、同一サイズの全ての視標を複数の視標ページに分けて視標ページごとに表示面に表示させ、視標ページのページ数が、呈示数以下である。【選択図】図５
2020146284.tif 000002
【特許請求の範囲】
【請求項１】
視標を被検眼に呈示する視標呈示装置において、
前記視標を表示する表示面を有するディスプレイと、
同一サイズの前記視標を、前記視標のサイズごとに予め定められた前記表示面内での最大表示数の範囲内で前記表示面に表示させる表示制御部と、
を備え、
前記表示制御部が、前記被検眼に対する同一サイズの前記視標の予め定められた呈示数が前記最大表示数よりも大きくなる場合に、同一サイズの全ての前記視標を複数の視標ページに分けて前記視標ページごとに前記表示面に表示させ、
前記視標ページのページ数が、前記呈示数以下である視標呈示装置。
【請求項２】
前記視標のサイズごとに、前記視標ページのページ数と、前記視標ページごとの前記視標の数及び種類と、を示すページ情報を予め記憶した記憶部を備え、
前記表示制御部が、同一サイズの全ての前記視標を、前記視標のサイズに対応した前記記憶部内の前記ページ情報に基づき、前記視標ページごとに前記表示面に表示させる請求項１に記載の視標呈示装置。
【請求項３】
前記視標のサイズを選択する選択操作と、前記表示面に表示されている前記視標ページの切り替えを行うページ切替操作と、を受け付ける操作部を備え、
前記表示制御部が、前記操作部により前記選択操作が受け付けられた場合には、前記選択操作に対応したサイズの前記視標を前記表示面に表示させ、且つ前記操作部により前記ページ切替操作が受け付けられた場合には、前記表示面に表示される前記視標ページを切り替える請求項１又は２に記載の視標呈示装置。
【請求項４】
前記操作部が、前記ページ切替操作として、前記表示面に表示されている前記視標ページ内の前記視標と同一サイズの前記視標を再選択する再選択操作を受け付ける請求項３に記載の視標呈示装置。
【請求項５】
前記表示制御部が、前記操作部により前記再選択操作が受け付けられるごとに、前記表示面に表示される前記視標ページの切り替えを予め定められた順番で行い、且つ最後の前記視標ページが前記表示面に表示されている状態で前記操作部により前記再選択操作が受け付けられた場合には最初の前記視標ページを前記表示面に表示させる請求項４に記載の視標呈示装置。
【請求項６】
前記操作部が、前記表示面に表示中の前記視標ページを示す視標情報を表示する視標情報表示部を備える請求項３から５のいずれか１項に記載の視標呈示装置。
【請求項７】
前記視標情報表示部が、前記表示面に表示中の前記視標ページが切替可能であることを示す通知情報を表示する請求項６に記載の視標呈示装置。
【請求項８】
前記視標情報表示部がタッチパネルであり、
前記操作部が、前記視標情報表示部に対してタッチ操作で入力された前記ページ切替操作を受け付ける請求項６又は７に記載の視標呈示装置。
【請求項９】
ディスプレイの表示面に表示された視標を被検眼に呈示する視標呈示装置の視標表示制御方法において、
同一サイズの前記視標を、前記視標のサイズごとに予め定められた前記表示面内での最大表示数の範囲内で前記表示面に表示させる表示制御ステップを有し、
前記表示制御ステップでは、前記被検眼に対する同一サイズの前記視標の予め定められた呈示数が前記最大表示数よりも大きくなる場合に、同一サイズの全ての前記視標を複数の視標ページに分けて前記視標ページごとに前記表示面に表示させ、
前記視標ページのページ数が、前記呈示数以下である視標呈示装置の視標表示制御方法。
【発明の詳細な説明】
【技術分野】
【０００１】
本発明は、視標を被検眼に呈示する視標呈示装置及びその視標表示制御方法に関する。
【背景技術】
【０００２】
眼科及び眼鏡店には、被検眼の視力等の視機能を自覚検査するために、被検眼に対して各種視標を呈示する視標呈示装置（自覚式検眼装置ともいう）が設置されている。例えば、被検眼の視力を検査する場合には、視標呈示装置により被検眼に対して視力検査用の視標を視力値ごとに呈示して、この視力値ごとの視標に対する被検者の応答に基づき被検眼の視力を検査する（特許文献１及び２参照）。
【０００３】
このような視標呈示装置としては、予めガラス板に描画された視力値ごとの視標を被検眼に対して投影するタイプと、上記特許文献１及び２に記載されているようなＬＣＤ（liquid crystal display）等のディスプレイ（電子表示デバイスともいう）に表示された視標を被検眼に呈示するタイプと、が知られている。この後者のタイプの視標呈示装置では、視力値ごとの視標の中で、検者が選択した１又は複数種類の視力値に対応する視標のみをＬＣＤに表示及び被検眼に呈示することができる。
【先行技術文献】
【特許文献】
【０００４】
【特許文献１】特開２０１２−１６５７８８号公報
【特許文献２】特開２０１２−１１２２３号公報
【発明の概要】
【発明が解決しようとする課題】
【０００５】
ところで、例えば視力検査用の視標としてランドルト環を用いた場合には、視力値ごとにランドルト環の切り欠きの方向が８方向のうちのいずれの方向であるかを被検者に応答させることが一般的である。このため、視力検査の精度を確保するためには、視力値ごとに、切り欠きの方向が互いに異なる５個以上のランドルト環を被検眼に呈示することが好ましい。
【０００６】
しかしながら、ランドルト環のような視力検査用の視標は、視力値が低くなるに従って視標のサイズが大きくなる。また、ガラス板に複数の視標を描画する場合、或いはＬＣＤの表示面内（一画面内）に複数の視標を表示する場合には、視標のサイズに応じて視標同士の間隔を一定量以上あける必要がある。このため、視力値ごとの視標が描画されたガラス板を用いる視標呈示装置では、ガラス板のスペースの関係上、ガラス板上において視力値の低い（サイズの大きい）視標の描画数を増やすことが困難である。また、ハード的な制限によって、視力値の低い視標を複数ページに分けて表示することはできない。
【０００７】
一方、ＬＣＤに表示された視標を被検眼に呈示する視標呈示装置においても、ＬＣＤの表示面のサイズには制限があるので、ＬＣＤの表示面のサイズによっては表示面上での視力値の低い（サイズの大きい）視標の表示数を増加させることが困難である。このため、被検眼の視力等の視機能の高精度な自覚検査が困難であるという問題がある。
【０００８】
本発明はこのような事情に鑑みてなされたものであり、視標のサイズに関係なく被検眼の視機能の高精度な自覚検査を行うことができる視標呈示装置及びその視標表示制御方法を提供することを目的とする。
【課題を解決するための手段】
【０００９】
本発明の目的を達成するための視標呈示装置は、視標を被検眼に呈示する視標呈示装置において、視標を表示する表示面を有するディスプレイと、同一サイズの視標を、視標のサイズごとに予め定められた表示面内での最大表示数の範囲内で表示面に表示させる表示制御部と、を備え、表示制御部が、被検眼に対する同一サイズの視標の予め定められた呈示数が最大表示数よりも大きくなる場合に、同一サイズの全ての視標を複数の視標ページに分けて視標ページごとに表示面に表示させ、視標ページのページ数が、呈示数以下である。
【００１０】
この視標呈示装置によれば、視標のサイズに関係なく、予め定められた呈示数分の同一サイズの視標を被検眼に対して呈示することができる。
【００１１】
本発明の他の態様に係る視標呈示装置において、視標のサイズごとに、視標ページのページ数と、視標ページごとの視標の数及び種類と、を示すページ情報を予め記憶した記憶部を備え、表示制御部が、同一サイズの全ての視標を、視標のサイズに対応した記憶部内のページ情報に基づき、視標ページごとに表示面に表示させる。これにより、同一サイズの視標の予め定められた呈示数が最大表示数よりも大きくなる場合に、同一サイズの全ての視標を複数の視標ページに分けて視標ページごとに表示面に表示させることができる。
【００１２】
本発明の他の態様に係る視標呈示装置において、視標のサイズを選択する選択操作と、表示面に表示されている視標ページの切り替えを行うページ切替操作と、を受け付ける操作部を備え、表示制御部が、操作部により選択操作が受け付けられた場合には、選択操作に対応したサイズの視標を表示面に表示させ、且つ操作部によりページ切替操作が受け付けられた場合には、表示面に表示される視標ページを切り替える。
【００１３】
本発明の他の態様に係る視標呈示装置において、操作部が、ページ切替操作として、表示面に表示されている視標ページ内の視標と同一サイズの視標を再選択する再選択操作を受け付ける。これにより、操作部に、選択操作を行うスペースとは別にページ切替操作を行うためのスペースを確保する必要がなくなるので、操作部の大型化及び各操作がし難くなることが防止される。
【００１４】
本発明の他の態様に係る視標呈示装置において、表示制御部が、操作部により再選択操作が受け付けられるごとに、表示面に表示される視標ページの切り替えを予め定められた順番で行い、且つ最後の視標ページが表示面に表示されている状態で操作部により再選択操作が受け付けられた場合には最初の視標ページを表示面に表示させる。これにより、再選択操作を繰り返すことで、各視標ページを表示面にループ表示させることができる。
【００１５】
本発明の他の態様に係る視標呈示装置において、操作部が、表示面に表示中の視標ページを示す視標情報を表示する視標情報表示部を備える。これにより、検者は、被検者の被検眼に呈示されている視標ページ（視標）を確認することができる。
【００１６】
本発明の他の態様に係る視標呈示装置において、視標情報表示部が、表示面に表示中の視標ページが切替可能であることを示す通知情報を表示する。これにより、検者は、表示面に表示中の視標ページが切替可能であることを容易に認識することができる。
【００１７】
本発明の他の態様に係る視標呈示装置において、視標情報表示部がタッチパネルであり、操作部が、視標情報表示部に対してタッチ操作で入力されたページ切替操作を受け付ける。これにより、操作部にページ切替操作を行うための新たなスペースを確保する必要がなくなるので、操作部の大型化が防止される。また、検者がページ切替操作を簡単に行うことができる。
【００１８】
本発明の目的を達成するための視標呈示装置の視標表示制御方法は、ディスプレイの表示面に表示された視標を被検眼に呈示する視標呈示装置の視標表示制御方法において、同一サイズの視標を、視標のサイズごとに予め定められた表示面内での最大表示数の範囲内で表示面に表示させる表示制御ステップを有し、表示制御ステップでは、被検眼に対する同一サイズの視標の予め定められた呈示数が最大表示数よりも大きくなる場合に、同一サイズの全ての視標を複数の視標ページに分けて視標ページごとに表示面に表示させ、視標ページのページ数が、呈示数以下である。
【発明の効果】
【００１９】
本発明は、視標のサイズに関係なく被検眼の視機能の高精度な自覚検査を行うことができる。
【図面の簡単な説明】
【００２０】
【図１】視標呈示装置を備える自覚検眼システムの外観斜視図である。
【図２】コントローラの概略図である。
【図３】操作画面の一例を示した説明図である。
【図４】コントローラのブロック図である。
【図５】視力値０．１に対応した各視標ページの一例を説明するための説明図である。
【図６】視力値０．５に対応した各視標ページの一例を説明するための説明図である。
【図７】視力値１．０に対応した視標ページの一例を説明するための説明図である。
【図８】視標呈示装置による被検眼への視標の呈示、特に視標呈示用ＬＣＤによる視標ページの表示制御処理の流れを示すフローチャートである。
【図９】リモートコントローラの正面図である。
【図１０】操作画面上でのページ切替操作の変形例を説明するための説明図である。
【発明を実施するための形態】
【００２１】
［自覚検眼システムの構成］
図１は、本発明の視標呈示装置１０を備える自覚検眼システム９の外観斜視図である。図１に示すように、自覚検眼システム９は、被検者Ｈ１の被検眼の視力等の視機能の自覚検査に用いられるものであり、視標呈示装置１０と検眼テーブル１２とレフラクターヘッド１４とを備える。
【００２２】
検眼テーブル１２は、被検者Ｈ１と後述の視標呈示装置本体２０との間に配置されている。この検眼テーブル１２は、上下方向に昇降自在であり、被検者Ｈ１の体格に合わせて上下方向の高さ位置が調整される。これにより、被検者Ｈ１が検眼テーブル１２の上面に肘をついて姿勢を安定させることができる。また、検眼テーブル１２の上面には、後述のコントローラ２２が配置されていると共にポール１６が固定されている。
【００２３】
ポール１６の上部には横方向に延びるアーム１８が設けられており、このアーム１８の先端部にはレフラクターヘッド１４が吊り下げ固定されている。
【００２４】
レフラクターヘッド１４は、被検眼の両眼に対応して左右一対に設けられている。各レフラクターヘッド１４には、それぞれ検眼窓１４ａが形成されている。また、各レフラクターヘッド１４には、図示は省略するが、屈折力が異なる複数のレンズを有する公知のレンズディスクが回転可能に収納されている。各レンズディスクは、後述のコントローラ２２の制御の下、不図示の回転駆動部により回転されることで、複数のレンズのいずれかを左右の検眼窓１４ａ内にそれぞれ選択的に配置する。
【００２５】
視標呈示装置１０は、視標呈示装置本体２０及びコントローラ２２を備える。
【００２６】
視標呈示装置本体２０は、検眼テーブル１２を基準として被検者Ｈ１とは反対側に設置固定されている。なお、視標呈示装置１０が検眼テーブル１２上に配置されていてもよい。視標呈示装置本体２０は、コントローラ２２の制御の下、被検眼の視機能の各種の自覚検査（視力検査、レッドグリーンテスト、及びクロスシリンダテスト等）に用いられる視標２４（視標チャートともいう）を被検眼に呈示する。この視標呈示装置本体２０は、視標呈示用ＬＣＤ２６と、光学系２８と、表示窓３０（観察窓ともいう）と、を備える。
【００２７】
視標呈示用ＬＣＤ２６は、本発明のディスプレイに相当するものであり、コントローラ２２の制御の下、視標２４を表示する表示面２６ａ（図４参照）を備える。また、本発明のディスプレイとして、ＬＣＤの代わりに、例えば有機エレクトロルミネッセンスディスプレイ等のように視標２４を表示可能な各種のディスプレイを用いてもよい。さらに本発明のディスプレイには、視標２４の光束を出射する光出射部（例えばプロジェクタ等）も含まれる。
【００２８】
光学系２８は、視標呈示用ＬＣＤ２６の表示面２６ａ（図４参照）に表示された視標２４（視標光束）の虚像を、被検眼から予め定められた検査距離（例えば５ｍ）に光学的に結像させる。これにより、被検者Ｈ１（被検眼）から前述の検査距離未満に視標呈示装置本体２０を設置することができる。なお、被検者Ｈ１から検査距離だけ離れた位置に視標呈示装置本体２０を設置可能であれば、光学系２８については省略してもよい。
【００２９】
表示窓３０は、視標呈示装置本体２０の被検者Ｈ１側の前面の中で、座位の被検者Ｈ１の被検眼の高さと略一致する位置に設けられている。これにより、被検者Ｈ１（被検眼）は、レフラクターヘッド１４及び表示窓３０を通して、光学系２８により結像された視標２４の虚像を視認することができる。なお、既述のように光学系２８が省略されている場合には、被検者Ｈ１は、レフラクターヘッド１４を通して、視標呈示用ＬＣＤ２６の表示面２６ａ（図４参照）に表示されている視標２４を直接視認する。
【００３０】
コントローラ２２は、視標呈示装置本体２０及びレフラクターヘッド１４に対して有線接続又は無線接続されている。このコントローラ２２は、本発明の操作部に相当するものであり、検者Ｈ２による各種操作入力を受けて、視標呈示装置本体２０及びレフラクターヘッド１４の各種動作を制御する。
【００３１】
図２は、コントローラ２２の概略図である。図２及び既述の図１に示すように、コントローラ２２は、入力装置３４及びモニタ３６を備える。また、コントローラ２２の筐体内には、詳しくは後述する制御回路５０及び記憶部５２（図４参照）が設けられている。
【００３２】
入力装置３４は、例えば操作盤３４ａとマウス３４ｂとから構成されており、検者Ｈ２による各種操作入力に用いられる。検者Ｈ２が入力装置３４に入力した各種操作は、コントローラ２２により受け付けられる。
【００３３】
モニタ３６は、例えばタッチパネル式のＬＣＤが用いられる。このモニタ３６は、視標呈示装置本体２０及びレフラクターヘッド１４の操作画面３８（図３参照）を表示する。また、モニタ３６は、検者Ｈ２によるタッチ操作による操作入力が可能である。このため、検者Ｈ２がタッチ操作で操作画面３８に入力した操作についてもコントローラ２２により受け付けられる。
【００３４】
図３は、操作画面３８の一例を示した説明図である。図３に示すように、操作画面３８は、主表示領域４０と、参照表示領域４２，４４と、視標選択領域４６と、視標表示領域４８と、を含む。主表示領域４０は、操作画面３８の上部中央に配置され、参照表示領域４２，４４は主表示領域４０の両脇に並べて１個ずつ配置されている。また、視標選択領域４６及び視標表示領域４８は、操作画面３８の下部に並べて配置されている。
【００３５】
主表示領域４０は、各レフラクターヘッド１４の検眼窓１４ａにセットされているレンズ（光学素子）の球面度数、乱視度数、及び軸角度等の眼屈折力に対応する光学特性データを表示する領域である。主表示領域４０には、被検者Ｈ１の被検眼の両眼（右眼、左眼）に対応して、現在、検眼窓１４ａにセットされているレンズの光学特性データ（球面度数、乱視度数、及び軸角度）の値がそれぞれ表示されている。この主表示領域４０の各欄の値は、例えば検者Ｈ２による入力装置３４への入力操作によって変更される。
【００３６】
参照表示領域４２，４４は、主表示領域４０に表示されている光学特性データと対比可能な光学特性データを表示する領域であり、検者Ｈ２による自覚検査作業の便宜のために設けられている領域である。
【００３７】
参照表示領域４２には、被検者Ｈ１の右眼と左眼とに対応して、他覚検査装置（図示は省略）から取り込まれた被検者Ｈ１の被検眼の眼屈折力の測定データの各値が項目ごとに表示される。また、参照表示領域４４には、被検者Ｈ１が装用している右眼及び左眼の眼鏡レンズ（図示は省略）の各々について、レンズメータ（図示は省略）により測定された眼鏡レンズの光学特性の測定データの各値が項目ごとに表示される。なお、参照表示領域４２，４４の表示は電子カルテなどのデータベースを参照して表示することも可能である。また、参照表示領域４２，４４の表示内容は、検者Ｈ２が入力装置３４に対して表示切替操作を行うことで、他の内容（前回の自覚検査の結果等）に変更可能である（上記特許文献１参照）。
【００３８】
視標選択領域４６には、視標呈示用ＬＣＤ２６の表示面２６ａ（図４参照）に表示可能、すなわち被検者Ｈ１の被検眼に呈示可能な複数種類の視標２４の一覧がアイコン表示される。検者Ｈ２は、入力装置３４を用いて視標選択領域４６内のアイコン（視標２４）を選択したり、或いは視標選択領域４６内のアイコンをタッチ操作により選択したりする選択操作を実行することで、表示面２６ａに表示させる視標２４、すなわち被検眼に呈示する視標２４を選択することができる。
【００３９】
視標表示領域４８は、本発明の視標情報表示部に相当するものであり、視標呈示用ＬＣＤ２６の表示面２６ａ（図４参照）に表示されている視標２４、より具体的には後述の視標ページ２４Ｐ（図５から図７参照）と同一のもの或いは視標２４の種類が判読可能なアイコンを表示する。また、視標表示領域４８は、詳しくは後述するが、視標２４の種類によっては通知情報６４の表示を行う。
【００４０】
図４は、コントローラ２２のブロック図である。図４に示すように、コントローラ２２は、既述の入力装置３４及びモニタ３６の他に、制御回路５０及び記憶部５２を備える。
【００４１】
制御回路５０は、レフラクターヘッド１４、視標呈示装置本体２０、入力装置３４、モニタ３６、及び記憶部５２に接続されている。この制御回路５０は、検者Ｈ２による入力装置３４及び操作画面３８に対する操作入力に応じて、記憶部５２内に記憶されている制御プログラム（図示は省略）を実行することで、視標呈示装置本体２０及びレフラクターヘッド１４の各々の動作を制御する。記憶部５２には、前述の制御プログラムの他に、詳しくは後述するページ情報テーブル６０が記憶されている。
【００４２】
制御回路５０は、各種のプロセッサ（Processor）及びメモリ等から構成された演算回路を備える。各種のプロセッサには、ＣＰＵ（Central Processing Unit）、ＧＰＵ（Graphics Processing Unit）、ＡＳＩＣ（Application Specific Integrated Circuit）、及びプログラマブル論理デバイス［例えばＳＰＬＤ（Simple Programmable Logic Devices）、ＣＰＬＤ（Complex Programmable Logic Device）、及びＦＰＧＡ（Field Programmable Gate Arrays）］等が含まれる。なお、制御回路５０の各種機能は、１つのプロセッサにより実現されてもよいし、同種または異種の複数のプロセッサで実現されてもよい。
【００４３】
制御回路５０は、記憶部５２内の不図示の制御プログラムを実行することで、ヘッド制御部５６、表示制御部５８、及びモニタ制御部５９として機能する。
【００４４】
ヘッド制御部５６は、入力装置３４を介してコントローラ２２が検者Ｈ２による主表示領域４０の各欄に対する入力操作を受け付けた場合に、各レフラクターヘッド１４を駆動して、入力操作に対応した光学特性データを有するレンズを検眼窓１４ａ内に配置する。
【００４５】
表示制御部５８は、視標呈示用ＬＣＤ２６を制御してその表示面２６ａに視標２４を表示させる。以下、本実施形態では、説明の煩雑化を防止するため、各種の視標２４の中で視力値検査用の視標２４を表示面２６ａに表示する場合を例に挙げて説明を行う。
【００４６】
視力値検査用の視標２４として、本実施形態では公知のランドルト環を用いる。そして、本実施形態では、被検者Ｈ１の被検眼の精度の高い自覚検査を行うため、視力値ごとに、切り欠きの方向が互いに異なる複数個（５個以上が好ましい）の視標２４（ランドルト環）を被検眼に対して呈示する。具体的には本実施形態では、視力値ごとに、上下左右斜めの８方向の視標２４（ランドルト環）の中から予め選択された５個又は６個の視標２４を被検眼に呈示する。すなわち、本実施形態では、視力値ごとに被検眼に呈示する視標２４の呈示数を５個又は６個に定めている。なお、視力値ごとの視標２４の呈示数は複数であれば特に限定はされないが、５個以上が好ましい（ISO 8596 Ophthalmic optics - Visual acuity testing- Standard and clinical optotypes and their presentation参照）。
【００４７】
視標２４は視力値ごとにサイズが異なるので、視力値の高い視標２４ほどそのサイズが小さくなり、逆に視力値の低い視標２４ほどそのサイズが大きくなる。また、既述のように表示面２６ａに複数の視標２４を表示する場合には、視標２４のサイズに応じて視標２４同士の間隔を一定量以上あける必要がある。このため、視力値ごとの視標２４のサイズと、表示面２６ａのサイズとに基づき、表示面２６ａ内で表示可能な同一視力値（同一サイズ）の視標２４の最大表示数が視力値ごとに定められている。従って、表示制御部５８は、視力値ごと（視標２４のサイズごと）に予め定められた視標２４の最大表示数の範囲内の数の視標２４を表示面２６ａに表示させる。
【００４８】
この際に、視標２４の呈示数を上述のように５個又は６個に定めた場合には、視力値の高い視標２４については表示面２６ａに呈示数分の全ての視標２４を同時に表示可能であるが、視力値の低い視標２４については表示面２６ａに呈示数分の全ての視標２４を同時に表示させることができない。
【００４９】
そこで本実施形態では、被検眼に呈示する同一視力値の視標２４の呈示数がこの視力値に対応する最大表示数よりも大きくなる場合には、この呈示数分の全ての視標２４を複数の視標ページ２４Ｐに分けて視標ページ２４Ｐごとに順番に表示面２６ａに表示させる。なお、視標ページ２４Ｐのページ数は、同一視力値（同一サイズ）の視標２４の呈示数以下である。
【００５０】
図５は、視力値０．１に対応した各視標ページ２４Ｐの一例を説明するための説明図である。図５に示すように、本実施形態では、視力値０．１の視標２４の呈示数は「６個」（６方向）であり且つ表示面２６ａ内での視力値０．１の視標２４の最大表示数は「２個」である。このため、表示制御部５８は、視力値０．１の６個の視標２４を３つの視標ページ２４Ｐ（符号５Ａ：１ページ目、符号５Ｂ：２ページ目、符号５Ｃ：３ページ目）に分けて、視標ページ２４Ｐごとに表示面２６ａに順番に表示させる。
【００５１】
図６は、視力値０．５に対応した各視標ページ２４Ｐの一例を説明するための説明図である。図６に示すように、本実施形態では、視力値０．５の視標２４の呈示数は「６個」（６方向）であり且つ表示面２６ａ内での視力値０．５の視標２４の最大表示数は「３個」である。このため、表示制御部５８は、視力値０．５の６個の視標２４を２つの視標ページ２４Ｐ（符号６Ａ：１ページ目、符号６Ｂ：２ページ目）に分けて、視標ページ２４Ｐごとに表示面２６ａに順番に表示させる。
【００５２】
図７は、視力値１．０に対応した視標ページ２４Ｐの一例を説明するための説明図である。図７に示すように、本実施形態では、視力値１．０の視標２４の呈示数は「５個」（５方向）であり且つ表示面２６ａ内での視力値１．０の視標２４の最大表示数は「５個」である。このため、表示制御部５８は、視力値１．０の５個の視標２４を１つの視標ページ２４Ｐで表示面２６ａに表示させる。
【００５３】
このように本実施形態では、視力値ごとに予め定められた視標２４のサイズと、予め定められた表示面２６ａのサイズとに基づき、視力値ごとに視標２４の最大表示数が予め定められている。従って、本実施形態では、視力値ごとに予め定められた視標２４の呈示数及び最大表示数に基づき、視標ページ２４Ｐのページ数と、視標ページ２４Ｐごとの視標２４の数及び種類（切り欠きの方向）とを示すページ情報６０ａ（図４参照）が視力値ごとに予め定められている。
【００５４】
この際に本実施形態では、最終ページの以外の視標ページ２４Ｐには最大表示数分の視標２４が含まれるように、ページ情報６０ａが視力値ごとに定められている。これにより、視力値ごとの視標ページ２４Ｐのページ数を最小にすることができ、表示面２６ａ上での視標ページ２４Ｐの切替回数を最小に抑えることができる。なお、最終ページの以外の視標ページ２４Ｐに含まれる視標２４の数が最大表示数よりも小さくてもよい。また、視標ページ２４Ｐごとの視標２４の数が異なっていてもよい。
【００５５】
図４に戻って、記憶部５２には、視力値ごとのページ情報６０ａを含むページ情報テーブル６０が予め記憶されている。
【００５６】
表示制御部５８は、入力装置３４又は操作画面３８（タッチパネル）を介してコントローラ２２が検者Ｈ２による既述の選択操作及び後述のページ切替操作を受け付けた場合に、記憶部５２内のページ情報テーブル６０を参照して、表示面２６ａによる視標ページ２４Ｐの表示を制御する。
【００５７】
ページ切替操作とは、視標ページ２４Ｐが複数ページである場合に、表示面２６ａに表示する視標ページ２４Ｐを切り替えるための操作である。そして、本実施形態ではページ切替操作として再選択操作が行われる。この再選択操作とは、検者Ｈ２が入力装置３４又は操作画面３８を操作して、視標選択領域４６の中から、表示面２６ａに表示中の視標ページ２４Ｐ内の視標２４と同一の視力値の視標２４に対応するアイコンを再選択する操作である。これにより、視標選択領域４６内の視標２４のアイコン数を増加させることなく、視標選択領域４６上でページ切替操作を実行することができる。
【００５８】
表示制御部５８は、コントローラ２２が視標２４（視力値）の選択操作を受け付けた場合に、この選択操作で選択された視力値に対応するページ情報テーブル６０中のページ情報６０ａを参照して、１ページ目の視標ページ２４Ｐを表示面２６ａに表示させる。
【００５９】
また、表示制御部５８は、視標ページ２４Ｐが複数ページである場合には、コントローラ２２が再選択操作（ページ切替操作）を受け付けると、先のページ情報６０ａを参照して、２ページ目の視標ページ２４Ｐを表示面２６ａに表示させる。
【００６０】
以下、表示制御部５８は、コントローラ２２が再選択操作を受け付けるごとに、表示面２６ａに表示される視標ページ２４Ｐを予め定められた順番で切り替える。そして、表示制御部５８は、表示面２６ａに最後の視標ページ２４Ｐが表示されている状態において、コントローラ２２が再選択操作を受け付けると、再び最初（１ページ目）の視標ページ２４Ｐを表示面２６ａに表示させる。これにより、再選択操作を繰り返すことで、同一視力値（同一サイズ）の各視標ページ２４Ｐを表示面２６ａに所謂ループ表示させることができる。
【００６１】
モニタ制御部５９は、モニタ３６の表示制御を行う。図３に戻って、モニタ制御部５９は、表示面２６ａに表示中の視標ページ２４Ｐと同一の視標ページ２４Ｐを示す画像（本発明の視標情報に相当）を視標表示領域４８に表示させる。これにより、検者Ｈ２は、被検者Ｈ１の被検眼に呈示されている視標ページ２４Ｐ（視標２４）を確認することができる。
【００６２】
また、モニタ制御部５９は、選択操作で選択された視力値に対応するページ情報６０ａに基づき、表示面２６ａに表示中の視標ページ２４Ｐが切替可能である（複数ページである）と判定した場合には、視標ページ２４Ｐが切替可能であることを示す通知情報６４を視標表示領域４８に表示させる。
【００６３】
通知情報６４としては、例えば矢印等の任意のマーク及び記号等が用いられる。さらに通知情報６４には、視標ページ２４Ｐのページ数を示す数字も含まれる。これにより、検者Ｈ２は、表示面２６ａに表示中の視標ページ２４Ｐが切替可能であることを容易に認識することができる。
【００６４】
［視標呈示装置の作用］
図８は、上記構成の視標呈示装置１０による被検眼への視標２４の呈示、特に本発明の視標表示制御方法に相当する視標呈示用ＬＣＤ２６による視標ページ２４Ｐの表示制御処理の流れを示すフローチャートである。
【００６５】
図８に示すように、検者Ｈ２が視標選択領域４６内のアイコン（視力値）を選択する選択操作を入力装置３４又は操作画面３８で行い、この選択操作がコントローラ２２で受け付けられると、表示制御部５８は、選択操作で選択された視力値に対応するページ情報テーブル６０のページ情報６０ａを参照する（ステップＳ１，Ｓ２）。
【００６６】
次いで、表示制御部５８は、参照したページ情報６０ａに基づき、１ページ目の視標ページ２４Ｐを表示面２６ａに表示させる（ステップＳ３）。これにより、光学系２８によって、１ページ目の視標ページ２４Ｐの虚像が被検眼から予め定められた検査距離に光学的に結像されるため、被検眼に対して１ページ目の視標ページ２４Ｐ内の視標２４が呈示される。そして、この視標ページ２４Ｐ内の視標２４に対する被検者Ｈ１の応答に基づき被検眼の視力の自覚検査が実行される。
【００６７】
また、モニタ制御部５９は、視標表示領域４８の表示を、表示面２６ａに表示中の１ページ目の視標ページ２４Ｐを示す画像に更新する（ステップＳ４）。これにより、検者Ｈ２は、被検眼に呈示されている視標ページ２４Ｐを確認することができる。
【００６８】
さらに、モニタ制御部５９は、先のページ情報６０ａに基づき、表示面２６ａに表示中の視標ページ２４Ｐが切替可能（複数ページ）であると判定した場合には、通知情報６４を視標表示領域４８に表示させる。これにより、検者Ｈ２は、視標ページ２４Ｐが切替可能であることを容易に認識することができる。
【００６９】
検者Ｈ２は、視標ページ２４Ｐが複数ページである場合には、視標選択領域４６の中から先の選択操作で選択された視力値（アイコン）と同一の視力値（アイコン）を選択する再選択操作（ページ切替操作）を、入力装置３４又は操作画面３８にて行う（ステップＳ５でＹＥＳ）。このようにページ切替操作として再選択操作を実行可能にすることで、視標選択領域４６内での視標２４のアイコン数の増加が防止される。その結果、操作画面３８の大型化、すなわちコントローラ２２の大型化が防止されると共に、選択操作及びページ切替操作がし難くなることが防止される。
【００７０】
再選択操作がコントローラ２２で受け付けられると、表示制御部５８は、先のページ情報６０ａに基づき、表示面２６ａの表示を２ページ目の視標ページ２４Ｐの表示に切り替える（ステップＳ６）。これにより、被検眼に対して２ページ目の視標ページ２４Ｐ内の視標２４が呈示される。また、モニタ制御部５９は、視標表示領域４８の表示を２ページ目の視標ページ２４Ｐに更新する（ステップＳ４）。そして、被検眼の視力の自覚検査が再び実行される。
【００７１】
以下、コントローラ２２で再選択操作が受け付けられるごとに、表示制御部５８による表示面２６ａ上での視標ページ２４Ｐの表示切替と、モニタ制御部５９による視標表示領域４８の表示の更新と、が実行される（ステップＳ５でＮＯ、ステップＳ６、ステップＳ４）。そして、視標ページ２４Ｐの表示が切り替えられるごとに、被検眼の視力の自覚検査が繰り返し実行される。なお、ステップＳ３からステップＳ６は本発明の表示制御ステップに相当する。
【００７２】
再選択操作の完了後（ステップＳ５でＮＯ）、別の視力値の視標２４を用いた被検眼の視力の自覚検査を行う場合には、上述の各ステップの処理が繰り返し実行される（ステップＳ７）。
【００７３】
［本実施形態の効果］
以上のように本実施形態では、予め定められた呈示数分の全ての視標２４を表示面２６ａに同時に表示させることができない場合に、この呈示数分の全ての視標２４を複数の視標ページ２４Ｐに分けて視標ページ２４Ｐごとに順番に表示面２６ａに表示させることができる。その結果、視力値の低い（サイズの大きい）視標２４であっても上述の呈示数分（例えば５個以上）だけ被検眼に呈示してこの被検眼の視力検査を行うことができる。これにより、視標２４のサイズに関係なく被検眼の視力（視機能）の高精度な自覚検査を行うことができる。
【００７４】
［操作部の他実施例］
図９は、本発明の操作部の他実施例に相当するリモートコントローラ７０の正面図である。上記実施形態では、検者Ｈ２による選択操作及び再選択操作（ページ切替操作）をコントローラ２２で受け付けているが、図９に示すように、選択操作及び再選択操作を専用のリモートコントローラ７０で受け付けてもよい。
【００７５】
リモートコントローラ７０は、コントローラ２２に無線接続している。なお、既述の制御回路５０が視標呈示装置本体２０の内部に設けられている場合には、リモートコントローラ７０が視標呈示装置本体２０に無線接続されていてもよい。リモートコントローラ７０は、複数の操作ボタン７１と、複数の視標選択ボタン７２と、小型モニタ７４と、を備える。
【００７６】
操作ボタン７１は、例えばカーソルボタン及び決定ボタン等から構成されており、視標呈示装置本体２０等の各種操作に用いられる。
【００７７】
各視標選択ボタン７２は、被検者Ｈ１の被検眼に呈示可能な複数種類の視標２４にそれぞれ対応して設けられている。これにより、検者Ｈ２は、所望の視標選択ボタン７２を押下操作することで、視標呈示用ＬＣＤ２６の表示面２６ａに表示される視標２４、すなわち被検眼に呈示する視標２４を選択する選択操作を実行することができる。また、検者Ｈ２は、既述のページ切替操作として、表示面２６ａに表示中の視標ページ２４Ｐ内の視標２４と同一の視力値（同一サイズ）の視標２４に対応する視標選択ボタン７２を再押下操作する再選択操作を実行することができる。その結果、表示制御部５８は、リモートコントローラ７０で受け付けた選択操作及び再選択操作に基づき、上記実施形態と同様に表示面２６ａ上での視標ページ２４Ｐの表示及び表示切替を実行することができる。
【００７８】
また、リモートコントローラ７０が、ページ切替操作として上述の再選択操作を受け付けるようにしたので、視標選択ボタン７２の数の増加、すなわちリモートコントローラ７０の大型化が防止されると共に、選択操作及びページ切替操作がし難くなることが防止される。
【００７９】
小型モニタ７４は、本発明の視標情報表示部に相当するものであり、例えばＬＣＤが用いられる。この小型モニタ７４は、既述の選択操作及び再選択操作で選択された視力値に対応する視標ページ２４Ｐ、すなわち表示面２６ａに表示中の視標ページ２４Ｐを示す視標情報（例えば視力値の値等）を表示する。また、リモートコントローラ７０がコントローラ２２（制御回路５０）との双方向通信に対応している場合には、既述のモニタ制御部５９の制御の下、小型モニタ７４に既述の通知情報６４（図３参照）をあわせて表示させてもよい。
【００８０】
［ページ切替操作の変形例］
図１０は、操作画面３８上でのページ切替操作の変形例を説明するための説明図である。上記実施形態では、コントローラ２２がページ切替操作として再選択操作を受け付けているが、図１０に示すように、検者Ｈ２が操作画面３８内の視標表示領域４８に対して行ったタッチ操作（例えば図中矢印Ａで示すフリック操作又はスワイプ操作）を、ページ切替操作としてコントローラ２２が受け付けてもよい。これにより、上記実施形態と同様に、視標選択領域４６内の視標２４のアイコン数を増加させることなく、ページ切替操作を実行することができる。
【００８１】
［その他］
上記実施形態では視力検査用の視標２４としてランドルト環を例に挙げて説明したが、ランドルト環以外の公知の視力検査用の視標２４を用いてもよい。
【００８２】
上記実施形態では、ページ切替操作として再選択操作を例に挙げて説明したが、例えば、操作盤３４ａにページ切替操作を入力するためのキー等を設けてもよい。
【００８３】
上記実施形態では、コントローラ２２内に制御回路５０が設けられているが、例えば視標呈示装置本体２０内に制御回路５０が設けられていてもよい。
【００８４】
上記実施形態では、被検眼に呈示される同一サイズの複数の視標２４として視力検査用の視標２４を例に挙げて説明したが、視力以外の被検眼の各種視機能の検査に用いられる複数且つ同一サイズの視標２４を被検眼に呈示（表示面２６ａに表示）する場合にも本発明を適用することができる。
【符号の説明】
【００８５】
９…自覚検眼システム，
１０…視標呈示装置，
２０…視標呈示装置本体，
２２…コントローラ，
２４…視標，
２４Ｐ…視標ページ，
２６…視標呈示用ＬＣＤ，
２６ａ…表示面，
２８…光学系，
３４…入力装置，
３６…モニタ，
３８…操作画面，
４６…視標選択領域，
４８…視標表示領域，
５０…制御回路，
５２…記憶部，
５８…表示制御部，
５９…モニタ制御部，
６０…ページ情報テーブル，
６０ａ…ページ情報，
６４…通知情報，
７０…リモートコントローラ，
７２…視標選択ボタン，
７４…小型モニタ
【図１】
2020146284.tif 000003
【図２】
2020146284.tif 000004
【図３】
2020146284.tif 000005
【図４】
2020146284.tif 000006
【図５】
2020146284.tif 000007
【図６】
2020146284.tif 000008
【図７】
2020146284.tif 000009
【図８】
2020146284.tif 000010
【図９】
2020146284.tif 000011
【図１０】
2020146284.tif 000012